(57)【要約】      （修正有）【課題】自動車用バックドアを開閉するためのバックドアハンドルに、自動車の後方を撮影するバックカメラを簡単かつ安価に、見栄え良く、強固に取り付ける。【解決手段】バックカメラ取付構造２１は、バックカメラ７を保持するブラケット２２と、ブラケット２２をバックドアハンドル５に取り付けるためのネジ部材とを備える。ネジ部材として、バックドアハンドル５をバックドアパネルに取り付けるための取付ネジ１４を共用する。ブラケット２２は、バックドアハンドル５のカメラ収容室１６内にバックカメラ７を保持する保持部２３と一対の脚部２４を備える。保持部２３を幅広く形成し、一対の脚部２４を別々の取付ネジ１４でボス部１８に締め付ける。一方の脚部２４に、バックカメラ７のリード線２６が遊挿される切欠部２７を形成する。【選択図】図３
2017124732.tif 000002
【特許請求の範囲】
【請求項１】
自動車のバックドアパネルに取り付けられたバックドアハンドルに、自動車の後方を撮影するバックカメラを取り付けるための構造であって、バックカメラを保持するブラケットと、ブラケットをバックドアハンドルに取り付けるネジ部材とを備え、ネジ部材がバックドアハンドルをバックドアパネルに取り付けるための取付ネジを含むことを特徴とする自動車用バックカメラの取付構造。
【請求項２】
前記ブラケットが、バックドアハンドルに形成されたカメラ収容室内にバックカメラを保持する保持部と、保持部の両端に折り曲げられた一対の脚部とを備える請求項１記載の自動車用バックカメラの取付構造。
【請求項３】
前記保持部がカメラ収容室のほぼ全体を覆うように幅広く形成され、一対の脚部が別々の前記取付ネジでバックドアハンドルに締め付けられている請求項２記載の自動車用バックカメラの取付構造。
【請求項４】
前記保持部にバックカメラが粘着剤を介して位置調節可能に保持されている請求項２又は３記載の自動車用バックカメラの取付構造。
【請求項５】
前記ブラケットの一部に、バックカメラのリード線を遊びのある状態で通す切欠部が形成されている請求項１〜４の何れか一項に記載の自動車用バックカメラの取付構造。
【発明の詳細な説明】
【技術分野】
【０００１】
本発明は、自動車用バックドアを開閉するためのバックドアハンドルに、自動車の後方を撮影するバックカメラを取り付けるための構造に関する。
【背景技術】
【０００２】
従来、自動車用バックドアの一部にバックカメラを取り付ける技術が知られている。例えば、特許文献１には、ライセンスプレート装着用のガーニッシュ（飾り部材）に後方監視カメラを取り付ける構造が記載されている。しかし、この取付構造によると、バックカメラを装備可能な車種が限定されるうえ、ユーザー自身でバックカメラを取り付ける場合に、ライセンスプレートの周辺部を改造する必要があった。そこで、より多くの自動車にバックカメラを装備できるように、特許文献２には、バックドアを開閉するバックドアハンドルにブラケットを介してバックカメラを取り付ける構造が提案されている。
【先行技術文献】
【特許文献】
【０００３】
【特許文献１】特開２００４−２１６９７６号公報
【特許文献２】特開２０１２−１１１３９０号公報
【発明の概要】
【発明が解決しようとする課題】
【０００４】
ところが、従来のバックカメラ取付構造によると、バックカメラを保持するブラケットが専用のネジ部材でバックドアハンドルに取り付けられるとともに、そのバックドアハンドルが別のネジ部材でバックドアパネルに取り付けられているため、特に、純正品でないバックカメラを既存のバックドアハンドルに後付けするような場合に、部品点数および工数が増え、多くの費用と手間がかかるという問題点があった。
【０００５】
そこで、本発明の目的は、バックドアハンドルにバックカメラを簡単かつ安価に、そして、見栄え良く、しっかりと取り付けることができる自動車用バックカメラの取付構造を提供することにある。
【課題を解決するための手段】
【０００６】
上記課題を解決するために、本発明は、次のようなバックカメラ取付構造を提供する。
（１）  自動車のバックドアパネルに取り付けられたバックドアハンドルに、自動車の後方を撮影するバックカメラを取り付けるための構造であって、バックカメラを保持するブラケットと、ブラケットをバックドアハンドルに取り付けるネジ部材とを備え、ネジ部材がバックドアハンドルをバックドアパネルに取り付けるための取付ネジを含むことを特徴とする自動車用バックカメラの取付構造。
【０００７】
（２）  ブラケットが、バックドアハンドルに形成されたカメラ収容室内にバックカメラを保持する保持部と、保持部の両端に折り曲げられた一対の脚部とを備えることを特徴とする自動車用バックカメラの取付構造。
【０００８】
（３）  ブラケットの保持部がカメラ収容室のほぼ全体を覆うように幅広く形成され、ブラケットの一対の脚部が別々の取付ネジでバックドアハンドルに締め付けられていることを特徴とする自動車用バックカメラの取付構造。
【０００９】
（４）  ブラケットの保持部に、バックカメラが粘着剤を介して位置調節可能に保持されていることを特徴とする自動車用バックカメラの取付構造。
【００１０】
（５）  ブラケットの一部に、バックカメラのリード線を遊びのある状態で通す切欠部が形成されていることを特徴とする自動車用バックカメラの取付構造。
【発明の効果】
【００１１】
本発明のバックカメラ取付構造によれば、バックカメラがバックドアハンドルと共通の取付ネジでバックドアパネルに取り付けられているので、部品点数および工数を減らし、バックカメラを簡単かつ安価に取り付けることができるという効果がある。また、ブラケットの保持部にバックカメラを保持し、ブラケット両端の脚部を取付ネジでバックドアハンドルに締め付けることにより、バックカメラをバックドアパネルに見栄え良く、強固に取り付けることもできる。
【図面の簡単な説明】
【００１２】
【図１】本発明による一実施形態のバックドアハンドルを示す自動車の背面図である。
【図２】バックドアハンドルをバックドアパネルから分解した状態を示す斜視図である。
【図３】バックカメラをバックドアハンドルから分解した状態を示す斜視図である。
【図４】バックカメラの取付構造を示すバックドアハンドルの縦断面図である。
【図５】バックカメラの角度調整に伴うリード線の動きを示す縦断面図である。
【図６】ブラケットの変更例を示す斜視図である。
【発明を実施するための形態】
【００１３】
以下、本発明の一実施形態を図面に基づいて説明する。図１に示す自動車１は、車体２の後部にバックドア３を備え、バックドア３のドアパネル４にバックドアハンドル５が装備されている。バックドアハンドル５には、バックドア３を開閉する操作部材６と、車体２の後方を撮影するバックカメラ７とが設けられている。なお、自動車１は特定の車種に限定されず、バックドア３を備えた各種自動車のバックドアハンドル５にバックカメラ７を取り付けることができる。
【００１４】
図２に示すように、バックドアパネル４には、バックドアハンドル５がドアパネル３の表面側（車外側）から装着される装着孔１０が形成され、装着孔１０の内周縁に、複数の取付片１１が装着孔１０の内側に向かって突出形成されている。各取付片１１の先端部にはネジ挿通孔１２が設けられ、バックドアハンドル５のハンドルベース１３がドアパネル４の裏面側（車内側）から各挿通孔１２に挿通される取付ネジ１４によってバックドアパネル４に取り付けられる。
【００１５】
図３、図４に示すように、バックドアハンドル５のハンドルベース１３は合成樹脂で皿形に成形され、その周縁にバックドアパネル４との隙間を密閉するシール部材１５が装着されている。ハンドルベース１３の一端部内側には、バックカメラ７を収めるカメラ収容室１６が設けられ、カメラ収容室１６の下部にバックカメラ７のレンズ７ａを車外側に露出させるための開口部１７が形成されている。カメラ収容室１６の上下において、ハンドルベース１３の裏面には一対のボス部１８が形成され、各ボス部１８に取付ネジ１４が螺合するネジ穴１９が設けられている。
【００１６】
この実施形態のバックカメラ取付構造２１は、バックカメラ７を保持するブラケット２２と、ブラケット２２をバックドアハンドル５に取り付けるためのネジ部材とを備え、ネジ部材としてハンドルベース１３をバックドアパネル４に取り付けるための取付ネジ１４が共用されている。ブラケット２２は、カメラ収容室１６内にバックカメラ１７を保持する保持部２３と、保持部２３の両端に折り曲げられた一対の脚部２４とを備え、全体が高剛性の金属板で凸形に形成されている。保持部２３はカメラ収容室１６のほぼ全体を覆うように幅広く形成され、脚部２４に取付ネジ１４が挿入されるネジ挿入孔２５が形成されている。また、一方の脚部２４（例えば、下側の脚部）には、バックカメラ７のリード線２６を遊びのある状態で通すための切欠部２７（図５参照）が形成されている。
【００１７】
バックカメラ７は、レンズ７ａを備えたカメラ本体２８と、カメラ本体２８を傾動可能に支持する支持金具２９と、カメラ本体２８の角度調節を行うための摘み３０と、支持金具２８をブラケット２２の保持部２３に装着するためのプレート３１とを備えている。プレート３１には両面接着テープ３２が貼り付けられ、両面接着テープ３２の粘着剤を介してバックカメラ７が保持部２３に位置調節可能に保持されている。そして、カメラ本体２７の角度および位置を調節し、バックカメラ７を保持部２３に保持したのち、ブラケット２２の一対の脚部２４を別々の取付ネジ１４でボス部１８に締め付けることにより、バックカメラ７をバックドアハンドル５に取り付けることができるように構成されている。
【００１８】
上記のように構成されたバックカメラ取付構造２１によれば、次のような作用効果が得られる。
（ａ）  バックカメラ７がバックドアハンドル５と共通の取付ネジ１４でバックドアパネル４に取り付けられているので、バックカメラ７に専用のネジ部材が不要となり、部品点数および工数を削減して、バックカメラ７をバックドアハンドル５に簡単かつ安価に取り付けることができる。
（ｂ）  バックドアハンドル５の裏面側において、バックカメラ７がブラケット２２の保持部２３に保持され、ブラケット２２の一対の脚部２４が別々の取付ネジ１４でハンドルベース１３のボス部１８に締め付けられているため、バックカメラ７をバックドアパネル５に見栄え良く、強固に取り付けることができる。
【００１９】
（ｃ）  特に、ブラケット２２の保持部２３がバックドアハンドル５のカメラ収容室１６を全体的に覆うように金属板で幅広く形成されているので、車室内側の荷物等による衝撃からバックカメラ７を保護し、常に適正な位置で車体２の後方を正確に撮影することができる。
（ｄ）  また、バックカメラ７のリード線２６がブラケット２２の一方の脚部２４に形成された切欠部２７に遊挿されているため、図５に示すように、バックカメラ７の角度調節時に、リード線２６をカメラ本体２８の動きに合わせてカメラ収容室１６の内外にスムーズに移動させることができ、特に、カメラ本体２８を電動アクチュエータで駆動する場合に、バックカメラ７を運転席からの指令通りの角度位置に正確に調節することができる。
【００２０】
なお、本発明は、上記実施形態に限定されるものではなく、例えば、切欠部２７をブラケット２２の保持部２３または上側の脚部２４に形成したり、バックドアハンドル５およびブラケット２２に共通の取付ネジ１４をバックドアハンドル５側に固定的に設け、この取付ネジ１４にナットをドアパネル４の裏面側から締め付けるように構成してもよい。また、図６に示すように、純正の取付ネジ１４を使用する場合に、締付時にネジ頭がブラケット２２の脚部２４に当たらないように、脚部２４のネジ挿入孔２５を屈曲長穴状に形成することもできる。その他、本発明の趣旨を逸脱しない範囲で、各部の形状や構成を適宜に変更して実施することも可能である。
【符号の説明】
【００２１】
１    自動車
３    バックドア
４    バックドアドアパネル
５    バックドアハンドル
６    操作部材
７    バックカメラ
１４    取付ネジ
１６    カメラ収容室
１７    開口部
１８    ボス部
１９    ネジ穴
２１    バックカメラ取付構造
２２    ブラケット
２３    保持部
２４    脚部
２６    リード線
２７    切欠部
３２    両面接着テープ 
【図１】
2017124732.tif 000003
【図２】
2017124732.tif 000004
【図３】
2017124732.tif 000005
【図４】
2017124732.tif 000006
【図５】
2017124732.tif 000007
【図６】
2017124732.tif 000008